(57)【要約】【課題】厚みが薄いプッシュプル錠を提供する。【解決手段】往復移動し往動端にラッチ部３７を備えたラッチボルト１５、往復移動し復動側端に外方に突出する頭部２９を備えた直動部材１１、及び直動部材の復動端への移動でラッチ部を外方に突出させ直動部材の往動端への移動でラッチ部を引き入れる揺動部材１２、を収容する錠箱２と、表側に配されラッチボルト及び直動部材が並ぶ方向を揺動中心とする引き側取っ手４２、並びに裏側に突出し引き側取っ手の揺動で逆方向に揺動する第１押圧部５４、を備えた引き側取っ手部３と、表側に配され引き側取っ手の揺動中心と同一方向を揺動中心とする押し側取っ手５８、及び裏側に突出し押し側取っ手と一体に揺動する第２押圧部６７、を備えた押し側取っ手部と、を有し、第１押圧部及び第２押圧部は、頭部に作用して直動部材を往動端に移動させるプッシュプル錠である。【選択図】    図１０
2010001612.tif 000002
【特許請求の範囲】
【請求項１】
錠箱、引き側取っ手部および押し側取っ手部を有し、
前記錠箱は、
往復移動可能であって往動端にあるときに外方に突出するラッチ部を備えたラッチボルトと、
前記ラッチボルトと略同一方向に往復移動可能であって前記ラッチ部が突出する側とは反対側である復動側端において前記錠箱の外方に突出する頭部を備えた直動部材と、
前記ラッチボルトおよび前記直動部材の間に配され、前記直動部材が復動端に移動することにより前記ラッチ部を外方に突出させ、かつ前記直動部材が往動端に移動すると前記ラッチ部を前記錠箱内に引き入れる伝達部材と、を収容し、
前記引き側取っ手部は、
前記引き側取っ手部の操作側である表側に配され前記ラッチボルトおよび前記直動部材が並ぶ方向を揺動中心とする揺動可能な引き側取っ手と、
前記引き側取っ手部の裏側に突出し前記引き側取っ手の揺動により前記引き側取っ手とは逆方向に揺動する第１押圧部と、を有し、
前記押し側取っ手部は、
前記押し側取っ手部の操作側である表側に配され前記引き側取っ手の揺動中心と同一方向に延びた揺動中心を有する揺動可能な押し側取っ手と、
前記押し側取っ手部の裏側に突出し前記押し側取っ手の揺動により前記押し側取っ手と同一方向に揺動する第２押圧部と、を有し、
前記第１押圧部および前記第２押圧部は、いずれも揺動したときに前記頭部に作用して前記直動部材を往動端に移動させるように構成された
ことを特徴とするプッシュプル錠。
【請求項２】
前記ラッチボルトは、直接または間接に往動側に向けて付勢されており、
前記第１押圧部および前記第２押圧部は、いずれも前記頭部における前記直動部材の復動側の端面を押圧することにより前記直動部材を往動端に移動させるように構成された
請求項１に記載のプッシュプル錠。
【請求項３】
前記伝達部材は、
前記ラッチボルトの往復移動方向に直交しかつ前記引き側取っ手の揺動中心に直交する方向を揺動軸として揺動可能であり、
その一端が前記ラッチボルトに連結され他端が前記直動部材に連結されており、
前記一端と前記他端の中央よりも前記直動部材側に偏った位置に前記揺動軸を有する
請求項１または請求項２に記載のプッシュプル錠。
【発明の詳細な説明】
【技術分野】
【０００１】
本発明は、住居用扉等に使用されるプッシュプル錠に関する。
【背景技術】
【０００２】
マンション等の集合住宅は、多くの場合内装が洋風化されて、各部屋の出入り口には開き扉が設けられている。また、新築される戸建て住宅においても洋風化が進み、部屋の出入り口には開き戸が用いられる場合が多くなっている。
このような開き戸には、従来回転式のハンドル錠が用いられていた、しかし、近年、扉の開閉方向に対応させて、扉の一方の側ではハンドル（操作部）を押して間接的に扉を押すことにより扉を開き、扉の他方の側ではハンドルを引いて間接的に扉を引くことにより扉を開くことができるプッシュプル錠が用いられるようになっている。
【０００３】
プッシュプル錠は、ハンドルを回動させて扉を開く回転式のハンドル錠とはラッチを動作させる機構が異なっている。プッシュプル錠において、ハンドルがラッチを動作させる機構については、例えば、特許文献１、特許文献２および特許文献３等に開示されている。
【特許文献１】特開２００４−１００２８３号公報
【特許文献２】特開２００５−３６４０３号公報
【特許文献３】特開２００７−２９７７８８号公報
【発明の開示】
【発明が解決しようとする課題】
【０００４】
ところで、安全の面およびデザインの面から、室内の扉におけるハンドル等の突起をなくしたいという要望がある。プッシュプル錠は、操作部（ハンドル等）を押しまたは引くことによりラッチを後退させる形式であるため、扉からの操作部の突出程度を減少させることができ、この要望に応えることが可能である。このような、扉からの操作部の突出の程度を減少させる試みは、例えば特許文献２に開示されている。
しかし、プッシュプル錠は、特許文献１〜３に開示されているように、通常は扉の両側にそれぞれ操作部が錠箱を挟むように配置され、錠箱の両側から操作部への押しまたは引きの動作が錠箱に伝えられる。そのため、扉からの操作部の突出をなくし操作部を扉の表面と略同一の面とするには、これらを収容可能な厚みを有する扉を選択しなければならず、取り付けることができる扉が極めて限定されるという問題がある。
【０００５】
本発明は、上述の問題に鑑みてなされたもので、厚みが薄いプッシュプル錠を提供することを目的とする。
【課題を解決するための手段】
【０００６】
本発明に係るプッシュプル錠は、錠箱、引き側取っ手部および押し側取っ手部を有し、前記錠箱は、往復移動可能であって往動端にあるときに外方に突出するラッチ部を備えたラッチボルトと、前記ラッチボルトと略同一方向に往復移動可能であって前記ラッチ部が突出する側とは反対側である復動側端において前記錠箱の外方に突出する頭部を備えた直動部材と、前記ラッチボルトおよび前記直動部材の間に配され、前記直動部材が復動端に移動することにより前記ラッチ部を外方に突出させ、かつ前記直動部材が往動端に移動すると前記ラッチ部を前記錠箱内に引き入れる伝達部材と、を収容し、前記引き側取っ手部は、前記引き側取っ手部の操作側である表側に配され前記ラッチボルトおよび前記直動部材が並ぶ方向を揺動中心とする揺動可能な引き側取っ手と、前記引き側取っ手部の裏側に突出し前記引き側取っ手の揺動により前記引き側取っ手とは逆方向に揺動する第１押圧部と、を有し、前記押し側取っ手部は、前記押し側取っ手部の操作側である表側に配され前記引き側取っ手の揺動中心と同一方向に延びた揺動中心を有する揺動可能な押し側取っ手と、前記押し側取っ手部の裏側に突出し前記押し側取っ手の揺動により前記押し側取っ手と同一方向に揺動する第２押圧部と、を有し、前記第１押圧部および前記第２押圧部は、いずれも揺動したときに前記頭部に作用して前記直動部材を往動端に移動させるように構成されている。
【０００７】
ここで「前記直動部材が復動端に移動することにより前記ラッチ部を外方に突出させ」とは、前記直動部材が復動端に移動することに起因してラッチ部が外方に突出する場合のほか、直動部材が復動端に移動することでラッチ部の外方への突出が可能となる場合、つまり直動部材の復動端への移動がラッチ部の外方への突出の要件となる場合を含むものである。
好ましくは、前記ラッチボルトは、直接または間接に往動側に向けて付勢されており、前記第１押圧部および前記第２押圧部は、いずれも前記頭部における前記直動部材の復動側の端面を押圧することにより前記直動部材を往動端に移動させるように構成される。
【０００８】
また、好ましくは、前記伝達部材は、前記ラッチボルトの往復移動方向に直交しかつ前記引き側取っ手の揺動中心に直交する方向を揺動軸として揺動可能であり、その一端が前記ラッチボルトに連結され他端が前記直動部材に連結されており、前記一端と前記他端の中央よりも前記直動部材側に偏った位置に前記揺動軸を有する。
【発明の効果】
【０００９】
本発明によると、厚みが薄いプッシュプル錠を提供することができる。
【発明を実施するための最良の形態】
【００１０】
図１は錠箱２の内部の構造を示す図、図２は直動部材１１および揺動部材１２を取り外した錠箱２内部の構造を示す図、図３は錠箱２の蓋１３の内面側の図、図４は直動部材１１の斜視図、図５は揺動部材１２の斜視図、図６は引き側取っ手部３の表側斜視図、図７は引き側取っ手部３の裏側斜視図である。
なお、「錠箱」は、その内部に収容された、プッシュプル錠１を動作させる機構を含む呼称である。
図１において、プッシュプル錠１は、錠箱２、引き側取っ手部３および押し側取っ手部４からなる。
【００１１】
錠箱２は、外殻部１４、直動部材１１、揺動部材１２、ラッチボルト１５および付勢部材１６からなる。
外殻部１４は、一方向に厚みが薄い直方体、およびその面の１つに板状の細長いフロント（面座）１７が固定された、一般的な錠箱の形状を有する。
図２を参照して、外殻部１４の内部には、直動部材収容溝１８およびラッチボルト支持壁１９が設けられている。直動部材収容溝１８は、フロント１７の長手方向一方の側に設けられ、円周の一部を断面形状としてフロント１７に直交して伸びた溝である。外殻部１４のフロント１７に対向する壁２０における、直動部材収容溝１８が交差する部分は、直動部材収容溝１８と同じ断面形状を有する切欠２１となっている。また、外殻部１４のフロント１７に対向する壁２０には、切欠２１を避けた位置に、「コ」字状に形成された位置決め用の枠２２が設けられている。
【００１２】
ラッチボルト支持壁１９は、フロント１７の長手方向他方の側に設けられ、フロント１７に平行に配されてその中央に、深部の断面形状が半円形の切欠２３が設けられた仕切りである。ラッチボルト支持壁１９は、フロント１７との間に、後に説明するラッチ部３７を収容可能な空間を形成している。
直動部材収容溝１８におけるフロント１７とは逆側の約半分は、ラッチボルト支持壁１９で区切られた部分とともに、揺動部材１２を収容可能な空間（「揺動部材収容部２４」という）を形成している。揺動部材収容部２４には、揺動部材１２を揺動可能に保持するための揺動軸孔２５が外殻部１４の内外を貫通している。揺動軸孔２５は、フロント１７に対向する壁２０に近い位置に設けられている。
【００１３】
外殻部１４には蓋１３が付属し、蓋１３には、外殻部１４として一体化されたときに揺動軸孔２５の軸心と一致する軸心を有する蓋側揺動軸孔２６が貫通している。
フロント１７は、ラッチボルト支持壁１９に対向する部分に断面が円形のラッチ孔２７が設けられている。
直動部材１１は、引き側取っ手部３または押し側取っ手部４が操作されたことにより、錠箱２において最初に動作する部材である。図４を参照して、直動部材１１は、円柱状の棒状部２８、および棒状部２８の長手方向一端において棒状部２８の全周にわたり突出する厚板状の頭部２９により構成される。棒状部２８は、その軸心を通って径方向に貫通する収容孔３０を備えている。棒状部２８には、収容孔３０における棒状部２８の軸方向中央近傍に、棒状部２８の軸方向および収容孔３０が貫通する方向のいずれにも直交する方向に軸心を有する枢支孔３１，３１が貫通している。
【００１４】
頭部２９は、その側面が対向する２つの平面と対向する２つの凸状曲面とにより形成されている。２つの対向する平面は、収容孔３０が貫通する方向に延び、２つの対向する平面の距離は、蓋１３により閉じられた外殻部１４の厚さ（図１０における幅）と同一または短くされる。
揺動部材１２は、直動部材１１の動作をラッチボルト１５に伝えるための部材である。揺動部材１２は、全体として細長く、一方の端部に爪部３２、他方の端部に連結部３３、およびこれらの間における連結部３３寄りの位置に揺動軸部３４を有する。爪部３２は、二股に分かれた部分であり、二股に分かれた付け根部３５の断面形状が半円形となっている。付け根部３５は、直動部材１１の棒状部２８の断面半径より若干大きな曲率半径の周面を有し、錠箱２においては棒状部２８が嵌め入れられる。
【００１５】
揺動部材１２は、爪部３２の先端から付け根部３５を若干過ぎた部分まで略真っ直ぐに伸び、その後に折れて揺動軸部３４に向けて伸びている。
揺動軸部３４は、揺動部材１２における他の部分に比べて外方に突出する円柱状の部分であり、その軸心は、爪部３２の二股に分かれた部分の並びと同一の方向に配されている。
連結部３３は、爪部３２から揺動軸部３４までの折れの程度を若干軽減する方向に折れた、爪部３２とは逆方向に伸びた板状の部分である。連結部３３には、揺動軸部３４の軸心と平行に貫通するピン孔３６が備えられている。
【００１６】
図１および図２を参照して、ラッチボルト１５は、ラッチ（latch）部３７、円柱状の胴部３８、および係合部３９からなる。ラッチ部３７は、一方向（錠箱２に組み込まれたときのフロント１７の長手方向）から見たときに、直角二等辺三角形の斜辺が凸状の湾曲線に置き換えられた形状の被押圧面７１を有する。
胴部３８は一端がラッチ部３７に連続し、他端が係合部３９に連続する。係合部３９は、胴部３８よりも径が大きい円形厚板状の部分である。
付勢部材１６は、ラッチボルト１５をフロント１７外方に向けて付勢するためのものであり、圧縮バネ１６（以下「付勢部材１６」を「圧縮バネ１６」と記すことがある）が使用される。
【００１７】
錠箱２は、次のように構成されている。
ラッチボルト１５は、ラッチ部３７がラッチ孔２７を貫通し、胴部３８がラッチボルト支持壁１９の切欠２３に収められ、つまり、係合部３９がラッチ部３７に対してラッチボルト支持壁１９を挟んだ逆側となるようにして、外殻部１４に取り付けられている。ラッチボルト支持壁１９の切欠２３における半円形の断面の半径は、胴部３８の半径に略等しくされている。
ラッチボルト１５は、胴部３８が圧縮バネ１６の内側に配されて、圧縮バネ１６の一端がラッチボルト支持壁１９に係止され他端がラッチ部３７に係止されることにより、フロント１７外方に向けて付勢されている。
【００１８】
揺動部材１２は、その連結部３３が、ピン孔３６を直動部材１１の枢支孔３１，３１に重ねられて直動部材１１の収容孔３０に収容され、ピン孔３６と枢支孔３１，３１とを貫通させたピン４０によって揺動可能に直動部材１１に連結されている。連結された後の揺動部材１２は、爪部３２の二股に分かれた間にラッチボルト１５の胴部３８を収容し、揺動軸部３４の突出する一方の側が揺動軸孔２５に嵌め込まれる。このとき、直動部材１１は、頭部２９が外殻部１４の外側に配されて、棒状部２８が直動部材収容溝１８に収容される。
【００１９】
ラッチボルト１５は、圧縮バネ１６により外殻部１４から抜け出る方向に付勢され、係合部３９は、揺動部材１２の爪部３２に当接してこれをラッチボルト支持壁１９に押しつけた状態に維持する。
蓋１３は、揺動部材１２における揺動軸部３４の突出する一方の側を蓋側揺動軸孔２６に嵌め入れて、ネジにより外殻部１４に一体化され、直動部材１１および揺動部材１２等の脱落を防止する。
図６〜８を参照して、引き側取っ手部３は、引き側取っ手座部４１、引き側取っ手４２、引き側押圧部４３、および圧縮バネ４４，４４等からなる。
【００２０】
引き側取っ手座部４１は、引き側取っ手４２および引き側押圧部４３等を保持し、引き側取っ手部３を錠箱２と一体化して扉に取り付けるためのものである。引き側取っ手座部４１は、形状が全体として細長い長方形であり、表側に細長く凹んだ凹部４５が形成され、凹部４５の凹んだ程度分、裏側に突出している。引き側取っ手座部４１は、凹部４５の底面における幅方向一方の側において長手方向全長にわたり表裏が連通（開口）している。この表裏が連通する部分を「長孔部４６」というものとする。
引き側取っ手座部４１は、裏側において外方に突出する角柱状の２つの位置決め部４７，４７を備える。２つの位置決め部４７，４７は、凹部４５を形成するために裏側に伸びた部分（側壁４８）をそのまま延長突出させたものである。位置決め部４７，４７は、凹部４５の側壁４８の長手方向を略等３分割する位置にそれぞれが設けられている。側壁４８は、それぞれの位置決め部４７，４７の長手方向外方に、他の部分に対して凹状の凹み４９，４９を備えている。凹み４９，４９は、位置決めの先端部が余裕を有して収容可能な形状および大きさを有する。また、側壁４８における２つの位置決め部４７，４７の間も、凹み４９，４９と同程度にその高さが低くなっている。
【００２１】
引き側取っ手４２は、凹部４５の長手方向の長さに略等しい長さと、凹部４５の約半分の幅とを有する。引き側取っ手４２は、長孔部４６が設けられた凹部４５の幅方向一方の側に偏って配され、長手方向両端で長手方向を軸として揺動可能に支持部材５０，５０によって引き側取っ手座部４１に支持されている。引き側取っ手４２は、凹部４５から引き出されるように、偏って配された凹部４５の幅方向一方の側に向けて揺動される。引き側取っ手４２の凹部４５の幅方向一方の側への揺動は、凹部４５の幅方向一方の側の端縁面５１により係止されて制限される。引き側取っ手４２は、その揺動中心近傍から引き側押圧部４３に向けて突出する、凹部４５の長手方向に細長く伸びた板状の押出部５２を備えている（図１０参照）。
【００２２】
引き側押圧部４３は、引き側取っ手４２の揺動中心近傍にこの揺動中心と平行な軸廻りに揺動可能に引き側取っ手座部４１に支持されている。引き側押圧部４３の揺動可能な支持は、支持部材５３，５３により行われる。引き側押圧部４３は、引き側取っ手部３の裏側で、長孔部４６を通して視認可能である。引き側押圧部４３は、四角錐台に類似する形状の第１押圧部５４を有する。第１押圧部５４は、長手方向の略中央において、裏側に突出している。長手方向における第１押圧部５４の横には、後に説明する第２押圧部６７の先端部分が接することなく通過可能な干渉防止溝５５が隣接して形成されている。
【００２３】
引き側押圧部４３は、その揺動中心から引き側取っ手４２の揺動中心側に向けて突出する、凹部４５の長手方向に細長く伸びた板状の受圧部５６を備えている（図１０参照）。受圧部５６は、引き側取っ手４２の押出部５２に対して凹部４５の底側に位置するように形成されている。引き側押圧部４３は、２つの圧縮バネ４４，４４により受圧部５６が押出部５２側に回動する方向に、つまり受圧部５６が常に押出部５２に当接するように付勢されている。
押し側取っ手部４は、押し側取っ手座部５７、押し側取っ手５８、押し側押圧部５９、および圧縮バネ等からなる。
【００２４】
押し側取っ手座部５７は、引き側取っ手座部４１と同様に、押し側取っ手５８および押し側押圧部５９等を保持し、押し側取っ手部４を錠箱２と一体化して扉に取り付けるためのものである。
押し側取っ手座部５７は、引き側取っ手部３と略同一の形状を有し、したがって、凹部６０、長孔部６１および２つの位置決め部６２，６２を備えている。ただし、押し側取っ手座部５７における２つの位置決め部６２，６２は、引き側取っ手座部４１における２つの位置決め部４７，４７と比べてそれぞれ押し側取っ手部４の長手方向の外方に設けられている。凹部６０における２つの位置決め部６２，６２の間の側壁６３は、側壁６３における他の部分よりも低く（浅く）なっている。
【００２５】
押し側取っ手５８は、引き側取っ手４２と略同様の外観を有し、凹部６０の幅方向一方の長孔部６１が設けられた側に偏って配され、長手方向両端で長手方向を軸として揺動可能に支持部材６４，６４によって押し側取っ手座部５７に支持されている。押し側取っ手５８は、引き側取っ手４２と異なり、偏って配された側とは逆の側に向けて凹部６０の底面６６に向けて押し込むように揺動される。押し側取っ手５８の揺動は、傾斜された押し側取っ手５８の下面６５が凹部６０の底面６６に係止され制限される。
押し側押圧部５９は、押し側取っ手５８と一体に形成されている。押し側押圧部５９は、引き側取っ手座部４１の裏側において、長孔部６１を通して視認可能である。押し側押圧部５９は、四角錐台に類似する第２押圧部６７を有する。第２押圧部６７は、長手方向の略中央において、押し側取っ手部４における裏側に突出する、
押し側押圧部５９の長手方向における第２押圧部６７の一方の横には、引き側押圧部４３における第１押圧部５４の先端部分が接することなく通過可能な大きさの干渉防止溝６８が形成されている。
【００２６】
一体である押し側取っ手５８および押し側押圧部５９は、２つの圧縮バネ７０，７０により付勢されて、押し側取っ手５８が操作されないときは、第２押圧部６７が、長孔部６１を形成する凹部６０の底側端縁６９に当接している。
錠箱２、引き側取っ手部３および押し側取っ手部４は、次のように組み立てられてプッシュプル錠１を構成する。
図８は錠箱２と押し側取っ手部４とが組み合わされた様子を示す図、図９はプッシュプル錠１における引き側取っ手部３と押し側取っ手部４との関係を示す図、図１０はプッシュプル錠１の動作を示す図である。
【００２７】
なお、図９は図１０のおけるＡ−Ａ矢視に該当する図である。
押し側取っ手部４は、錠箱２に対してラッチ部３７の被押圧面７１側に、引き側取っ手部３はその反対側に配される。
図８を参照して、錠箱２は、直動部材１１の頭部２９が押し側取っ手部４における第２押圧部６７の横に配され、かつ位置決め用の枠２２の中に、押し側取っ手部４における位置決め部６２，６２の一方が嵌め入れられる。外殻部１４の壁２０と枠２２とにより形成される細長い矩形の空隙７２の幅と位置決め部６２の幅とは略等しく、錠箱２は、押し側取っ手部４との図８における横方向の位置関係が決定される。同様に、引き側取っ手部３は、第１押圧部５４が直動部材１１の頭部２９の横に配され、位置決め部４７，４７の一方が錠箱２の枠２２の空隙７２に嵌め入れられる。この空隙７２の幅と位置決め部４７の幅とは略等しい。
【００２８】
錠箱２、引き側取っ手部３および押し側取っ手部４が組み合わされた状態で、引き側取っ手４２および押し側取っ手５８はいずれもラッチボルト１５および直動部材１１が並ぶ方向に延びた揺動中心を有する。
図９を参照して、引き側取っ手部３の第１押圧部５４は押し側取っ手部４の干渉防止溝６８に収容され、押し側取っ手部４の第２押圧部６７は引き側取っ手部３の干渉防止溝５５に収容されている。干渉防止溝５５および干渉防止溝６８が設けられていることにより、引き側押圧部４３および押し側押圧部５９は、互いに阻止されることなく個別にまたは同時に揺動可能である。
【００２９】
引き側取っ手部３の位置決め部４７，４７は、押し側取っ手部４の２つの位置決め部６２，６２の間の浅くなった側壁６３に向き合い、押し側取っ手部４の２つの位置決め部６２，６２は、引き側取っ手部３の凹み４９，４９のそれぞれに向き合う。また、錠箱２は、引き側取っ手部３および押し側取っ手部４の操作対象部分（引き側取っ手４２、引き側押圧部４３および押し側押圧部５９と一体化された押し側取っ手５８等）に対して、設置される扉の厚さ方向Ｄ−Ｈを避けて若干扉の縁側に偏らせて配置することができる。これらのことにより、プッシュプル錠１は、その厚さが、錠箱２、引き側取っ手部３および押し側取っ手部４のそれぞれの厚さの合計となるのを避けることができる。したがって、プッシュプル錠１は、引き側取っ手部３と押し側取っ手部４とを接近させて配することができ、厚さの薄いプッシュプル錠１を実現することができる。
【００３０】
錠箱２、引き側取っ手部３および押し側取っ手部４は、扉の所定の位置においてそれぞれが組み合わされたのちに、引き側取っ手部３および押し側取っ手部４がネジにより扉に固定される。
なお、錠箱２、引き側取っ手部３および押し側取っ手部４の組み立ての順序は、錠箱２と引き側取っ手部３との組み合わせから始めることも、当然に可能である。
プッシュプル錠１においては、位置決め用の枠２２に引き側取っ手部３の位置決め部４７および押し側取っ手部４の位置決め部６２が嵌め入れられたときに、空隙７２の長手方向に隙間（余裕）があるが、この空隙７２を位置決め部４７および位置決め部６２を嵌め入れて埋まる程度の長さとすることにより、より厳密に錠箱２、引き側取っ手部３および押し側取っ手部４の位置関係を規定することができる。
【００３１】
次に、図１０を参照してプッシュプル錠１の動作を説明する。
プッシュプル錠１は、引き側取っ手４２が凹部４５から引き出されると（図１０の矢印Ｍ１方向に操作されると）、引き側取っ手４２と一体化された押出部５２が回動して受圧部５６を押出部５２とは逆方向に回動させる（図１０の矢印Ｍ２，Ｍ３）。そうすると、受圧部５６と一体の引き側押圧部４３が回動し（図１０の矢印Ｍ４）、第１押圧部５４は直動部材１１の頭部２９の端面７３に当接して直動部材１１を錠箱２の中に押し入れる（図１０の矢印Ｍ５）。
【００３２】
図１をも参照して、錠箱２の中に押し入れられた直動部材１１は、揺動可能に連結する揺動部材１２を揺動軸部３４廻りに回動させる。回動する揺動部材１２は、爪部３２が当接するラッチボルト１５の係合部３９をフロント１７とは逆側に押し、ラッチボルト１５は圧縮バネ１６の付勢力に抗して錠箱２の中に引き入れられる（図１０の矢印Ｍ６）。
この一連の動作により、扉の枠（壁側）に取り付けられたストライク（受座）とラッチ部３７との係合が解除され、プッシュプル錠１が取り付けられた扉を開くことが可能となる。
【００３３】
扉を開く操作が終わり引き側取っ手４２が開放されると、引き側取っ手４２は圧縮バネ４４，４４の付勢力により回動して凹部４５に戻る。直動部材１１の頭部２９は第１押圧部５４による移動の制約がなくなり、ラッチボルト１５は圧縮バネ１６の付勢力によりフロント１７側に移動する。ラッチ部３７は、ラッチ孔２７からフロント１７外部に突出する。このとき扉が閉じられていれば、ラッチ部３７は扉枠に取り付けられたストライクに係止されて、扉の閉状態を維持する。
プッシュプル錠１では、押し側取っ手５８が凹部６０に押し込まれたときには、押し側取っ手５８に一体化された押し側押圧部５９が回動して、第２押圧部６７は直動部材１１を錠箱２の中に押し入れる（図１０の矢印Ｍ５）。直動部材１１が錠箱２の中に押し入れてから、ラッチボルト１５が錠箱２の中に引き入れられるまでの、および扉を開く操作が終わり再び扉の閉状態を維持するまでのプッシュプル錠１の動作は、引き側取っ手４２が操作されたときの動作等と同じである。
【００３４】
上述の実施形態において、プッシュプル錠１の機能を確保できる限度において、外殻部１４を、直動部材１１、揺動部材１２およびラッチボルト１５の一部が外部から視認可能な簡略なものとしてもよい。
直動部材１１の往復動作を、方向が逆のラッチボルト１５の往復動作にするための伝達手段を、揺動部材に変えて他の方法を採用することができる。例えば、直動部材およびラッチボルトのいずれにも軸方向に等間隔に並ぶ複数の環状溝を設け、いずれの環状溝にも係合する歯車をこれらの間に配して、直動部材の往復動作によりラッチボルトに逆方向の往復動作をさせるようにしてもよい。
【００３５】
本発明における「伝達部材」には、先に説明した構成を有する揺動部材１２の他に、この歯車のようにラッチボルトに直動部材とは逆方向の往復動作をさせる手段も含まれる。
第１押圧部５４および第２押圧部６７を、直動部材１１を錠箱２に押し込む方向に移動させるだけではなく、押し込んだ直動部材１１を錠箱２から引きだす方向に移動させるようにすることができる。例えば、第１押圧部５４および第２押圧部６７を直動部材１１の頭部に常時係合して第１押圧部５４および第２押圧部６７の揺動と直動部材１１の往復動とが常に連携して行われるように構成してもよい、この場合、引き側取っ手４２が操作され直動部材１１が錠箱２に押し込まれると、押し側取っ手５８は、直動部材１１の動作に伴って自動的に凹部６０に押し込まれる。
【００３６】
上記のように、第１押圧部５４および第２押圧部６７の揺動と直動部材１１の往復動とが常に連携して行われるように構成する場合、揺動部材１２はラッチボルト１５を錠箱２から押し出すだけでなく、錠箱２内に引き入れる動作をさせるように、これらを常時係合させるのが好ましい。このように、揺動部材１２がその揺動によってラッチボルト１５を錠箱２内に引き入れる構造は、爪部３２を係合部３９に当接させるもの以外の通常採り得る他の構造を採用することができる。
ラッチボルト１５をフロント１７外方に向けて付勢する圧縮バネ１６に替えて、直動部材１１をフロント１７から離れる方向に付勢する圧縮バネを直動部材１１とフロント１７との間に配してもよい。また、コイルバネにより爪部３２がラッチボルト支持壁１９側に回動する方向に揺動部材１２を付勢してもよい。
【００３７】
その他、プッシュプル錠１、錠箱２、引き側取っ手部３および押し側取っ手部４における各構成または全体の構造、形状、寸法、個数、材質などは、本発明の趣旨に沿って適宜変更することができる。
【産業上の利用可能性】
【００３８】
本発明は、住居用扉等に使用されるプッシュプル錠に利用することができる。
【図面の簡単な説明】
【００３９】
【図１】図１は錠箱の内部の構造を示す図である。
【図２】図２は直動部材および揺動部材を取り外した錠箱内部の構造を示す図である。
【図３】図３は錠箱の蓋の内面側の図である。
【図４】図４は直動部材の斜視図である。
【図５】図５は揺動部材の斜視図である。
【図６】図６は引き側取っ手部の表側斜視図である。
【図７】図７は引き側取っ手部の裏側斜視図である。
【図８】図８は錠箱と押し側取っ手部とが組み合わされた様子を示す図である。
【図９】図９はプッシュプル錠における引き側取っ手部と押し側取っ手部との関係を示す図である。
【図１０】図１０はプッシュプル錠の動作を示す図である。
【符号の説明】
【００４０】
１  プッシュプル錠
２  錠箱
３  引き側取っ手部
４  押し側取っ手部
１１  直動部材
１２  伝達部材（揺動部材）
１５  ラッチボルト
２９  頭部
３４  （揺動部材の）揺動軸（揺動軸部）
３７  ラッチ部
４２  引き側取っ手
５４  第１押圧部
５８  押し側取っ手
６７  第２押圧部
７３  （頭部の）端面
【図１】
2010001612.tif 000003
【図２】
2010001612.tif 000004
【図３】
2010001612.tif 000005
【図４】
2010001612.tif 000006
【図５】
2010001612.tif 000007
【図６】
2010001612.tif 000008
【図７】
2010001612.tif 000009
【図８】
2010001612.tif 000010
【図９】
2010001612.tif 000011
【図１０】
2010001612.tif 000012